(57)【要約】【課題】ボリューム感のあるホック頭が造形できるホックを提供すること。【解決手段】雌ホックＢが、生地Ｃを挟んで設けられるバネ保持部材１とホック頭２とを有しており、ホック頭２は、頭部２１とハトメ部２２とを有しており、バネ保持部材１は、基部１１と筒部１２とを有しており、筒部１２の端部には、ハトメ部２２を通すための貫通穴１４が設けられており、ハトメ部２２を上記貫通穴１４に通し、筒部１２に対してかしめられたことによって、上記バネ保持部材１とホック頭２とが上記生地Ｃを挟んで締結されるものであり、ホック頭２の全体を、金属材料を圧造して形成したホックである。【選択図】図１
0003148989.tif 000002
【実用新案登録請求の範囲】
【請求項１】
雄ホック（Ａ）と、この雄ホック（Ａ）に係合する雌ホック（Ｂ）とからなるホックにおいて、
上記雌ホック（Ｂ）が、布地やレザーなどの生地（Ｃ）を挟んで設けられるバネ保持部材（１）とホック頭（２）とを有しており、
上記ホック頭（２）は、上記生地（Ｃ）の表面に露出する頭部（２１）と、
この頭部（２１）から突出したものであって、上記生地（Ｃ）を貫通する、柱状のハトメ部（２２）とを有しており、
上記バネ保持部材（１）は、基部（１１）と、
この基部（１１）から突出し、上記ハトメ部（２２）を内部に通すことのできる筒部（１２）とを有しており、
上記基部（１１）は、上記雄ホック（Ａ）の一部に係合するバネ（１３）を収納した部分であり、
上記筒部（１２）の端部には、上記ハトメ部（２２）を通すための貫通穴（１４）が設けられており、
上記ハトメ部（２２）を上記貫通穴（１４）に通し、筒部（１２）に対してかしめられたことによって、上記バネ保持部材（１）とホック頭（２）とが上記生地（Ｃ）を挟んで締結されるものであり、
上記ホック頭（２）の全体を、金属材料を圧造して形成したことを特徴とするホック。
【請求項２】
上記ホック頭（２）の頭部（２１）における、上記生地（Ｃ）に対向する側である頭裏面（２１１）に、表面側へと掘り下げられた凹部である肉盗み部（２１２）が設けられたことを特徴とする、請求項１に記載のホック。
【請求項３】
上記ハトメ部（２２）の端面（２２ａ）から掘り込まれたようにして中空部（２３）が形成されており、
この中空部（２３）の底部（２３ａ）が、
上記バネ保持部材（１）とその下方に位置させた上記ホック頭（２）との間に生地（Ｃ）を挟んだ場合における、
上記ホック頭（２）の頭裏面（２１１）から上記底部（２３ａ）までの中空部（２３）の下部深さｈ２３と、
バネ保持部材（１）の基部（１１）の生地当接面（１１ｂ）の位置からの上記筒部（１２）の突出寸法ｈ１２、生地の厚みｈＣとが下記の関係、
ｈ２３＞ｈ１２−ｈＣ
であることを特徴とする、請求項１または２に記載のホック。
【請求項４】
上記ホック頭（２）の頭部（２１）が、円盤状で表面側が略球面であり、裏面側が上記肉盗み部（２１２）を除いて平坦面であり、
上記肉盗み部（２１２）は、上記頭部（２１）の頭裏面（２１１）の中心に設けられた、平面視で円形の凹部であり、
上記ハトメ部（２２）は、横断面において円形で、上記頭部（２１）の頭裏面（２１１）に対して直交するように突出して形成されたものであり、
上記中空部（２３）が、横断面において円形の空間であることを特徴とする、請求項３に記載のホック。
【請求項５】
上記雌ホック（Ｂ）が、上記のようにかしめられた後において、
上記肉盗み部（２１２）に上記筒部（１２）の端部側の少なくとも一部が配位され、
上記筒部（１２）の端部における内側は、上記ハトメ部（２２）がつぶされた状態で当接しており、
上記筒部（１２）が上記生地（Ｃ）を貫通し、上記バネ保持部材（１）の基部（１１）と上記ホック頭（２）の頭部（２１）との間に、上記生地（Ｃ）が挟み込まれたことを特徴とする、請求項１〜４のいずれかに記載のホック。
【考案の詳細な説明】
【技術分野】
【０００１】
本願考案は、例えば衣服、カバン、靴、文具などの様々な物品に取り付けて用いられるホックに関するものである。このホックは丸バネ方式、２本バネ方式などが有るが、そのうちで本願考案は２本バネ方式のホックにおける、頭部パーツ（ホック頭）に関するものである。
【背景技術】
【０００２】
【特許文献１】実開昭６２−１７９１０号公報
【０００３】
一般的に使用されている２本バネ方式のホックは、ホック頭、バネ保持部材、ダボ部、足部の４点のパーツから成り立っている。これらのパーツのうち、ホック頭とバネ保持部材が対になって布地やレザーに締結されて雌ホックを構成する。又、ダボ部と足部が対になって布地やレザーに締結されて雄ホックを構成する。これ以後布地やレザーのことを生地と表す。この雌ホックのバネ保持部材と雄ホックのダボ部が嵌めたり外したりできる関係である。即ち、上記のホック頭又は足部を押して各々の相手側であるバネ保持部材とダボ部とが嵌まりあう関係である。
【考案の開示】
【考案が解決しようとする課題】
【０００４】
これら４点のパーツは、例えば特許文献１に記載のように金属板のプレス加工によって作られていた。ホックの有史以来、このプレス加工による２本バネ方式のホックの構造は使用者が締結し易いように考えられている。生地に上記パーツを締結するための工程は次の通りである。先ず、止め外しする対象となる２枚の生地に必要な径の穴を各々開ける。次に、一方の生地にホック頭とバネ保持部材をセットにして締結し、他方の生地にダボ部と足部をセットにして締結する。これにより、バネ保持部材とダボ部とに止め外しの機能が生まれるのである。
【０００５】
ところが、上記のようにプレス加工で作られた従来のホック頭は薄く、平面的に仕上がって造形の変化が乏しい。
【０００６】
本願考案はこのことに鑑み、ボリューム感のあるホック頭が造形できるホックを提供することを課題とする。
【課題を解決するための手段】
【０００７】
上記課題を解決するために、本願の請求項１に記載の考案は、雄ホックＡと、この雄ホックＡに係合する雌ホックＢとからなるホックにおいて、上記雌ホックＢが、布地やレザーなどの生地Ｃを挟んで設けられるバネ保持部材１とホック頭２とを有しており、上記ホック頭２は、上記生地Ｃの表面に露出する頭部２１と、この頭部２１から突出したものであって、上記生地Ｃを貫通する、柱状のハトメ部２２とを有しており、上記バネ保持部材１は、基部１１と、この基部１１から突出し、上記ハトメ部２２を内部に通すことのできる筒部１２とを有しており、上記基部１１は、上記雄ホックＡの一部に係合するバネ１３を収納した部分であり、上記筒部１２の端部には、上記ハトメ部２２を通すための貫通穴１４が設けられており、上記ハトメ部２２を上記貫通穴１４に通し、筒部１２に対してかしめられたことによって、上記バネ保持部材１とホック頭２とが上記生地Ｃを挟んで締結されるものであり、上記ホック頭２の全体を、金属材料を圧造して形成したことを特徴とするホックを提供する。
【０００８】
また、本願の請求項２に記載の考案は、上記ホック頭２の頭部２１における、上記生地Ｃに対向する側である頭裏面２１１に、表面側へと掘り下げられた凹部である肉盗み部２１２が設けられたことを特徴とする、請求項１に記載のホックを提供する。
【０００９】
また、本願の請求項３に記載の考案は、上記ハトメ部２２の端面２２ａから掘り込まれたようにして中空部２３が形成されており、この中空部２３の底部２３ａが、上記バネ保持部材１とその下方に位置させた上記ホック頭２との間に生地Ｃを挟んだ場合における、上記ホック頭２の頭裏面２１１から上記底部２３ａまでの中空部２３の下部深さｈ２３と、バネ保持部材１の基部１１の生地当接面１１ｂの位置からの上記筒部１２の突出寸法ｈ１２、生地の厚みｈＣとが下記の関係、
ｈ２３＞ｈ１２−ｈＣ
であることを特徴とする、請求項１または２に記載のホックを提供する。
【００１０】
また、本願の請求項４に記載の考案は、上記ホック頭２の頭部２１が、円盤状で表面側が略球面であり、裏面側が上記肉盗み部２１２を除いて平坦面であり、上記肉盗み部２１２は、上記頭部２１の頭裏面２１１の中心に設けられた、平面視で円形の凹部であり、上記ハトメ部２２は、横断面において円形で、上記頭部２１の頭裏面２１１に対して直交するように突出して形成されたものであり、上記中空部２３が、横断面において円形の空間であることを特徴とする、請求項３に記載のホックを提供する。
【００１１】
また、本願の請求項５に記載の考案は、上記雌ホックＢが、上記のようにかしめられた後において、上記肉盗み部２１２に上記筒部１２の端部側の少なくとも一部が配位され、上記筒部１２の端部における内側は、上記ハトメ部２２がつぶされた状態で当接しており、上記筒部１２が上記生地Ｃを貫通し、上記バネ保持部材１の基部１１と上記ホック頭２の頭部２１との間に、上記生地Ｃが挟み込まれたことを特徴とする、請求項１〜４のいずれかに記載のホックを提供する。
【考案の効果】
【００１２】
本願考案によると、ホック頭２の全体を、金属材料を圧造して形成したことから、プレス加工で作られたホック頭に比べてボリューム感のあるホック頭が造形できる。
【００１３】
また、特に本願の請求項２に記載の考案によると、上記効果に加えて、肉盗み部２１２が設けられたことから、従来のプレス加工で作られたホック頭での頭部と筒状のハトメ部の基部とが間隔を有した構造を、金属材料の圧造による構造で代替できる。
【００１４】
また、特に本願の請求項３に記載の考案によると、上記効果に加えて、バネ保持部材１、ホック頭２、生地Ｃを隙間無く締結できる。
【考案を実施するための最良の形態】
【００１５】
以下、本願考案の一実施例をとりあげて説明する。なお、本願考案はこの実施例の形態に限定されるものではない。図１は、雌ホックのバネ保持部材とホック頭の構造を示す、概略の縦断面図である。図２は、ハンドプレスにバネ保持部材とホック頭とを取り付けた状態を示す、概略の縦断面図である。図３は、バネ保持部材とホック頭とが締結された状態を示す、概略の縦断面図である。図４は、雄ホックと雌ホックとの関係を示す、概略の縦断面図である。
【００１６】
次に、本願考案に係るホック全体につき、概略を説明する。このホックは、図４に示すように、従来のものと同様、雄ホックＡと、この雄ホックＡに係合する雌ホックＢとからなる。そして雌ホックＢが、布地やレザーなどの生地Ｃを挟んで設けられるバネ保持部材１とホック頭２とを有している。
【００１７】
上記ホック頭２は、上記生地Ｃの表面に露出する頭部２１と、この頭部２１から突出したものであって、上記生地Ｃを貫通する、柱状のハトメ部２２とを有している。
【００１８】
本例の頭部２１は、円盤状で表面側が略球面であり、裏面側が後述する肉盗み部２１２を除いて平坦面である。本例の頭部２１は直径が１５mm、高さ寸法が４mmであり、周囲に面取りが設けられている。
【００１９】
本例のハトメ部２２は、直径３．８mmの円柱状である。詳細は後述する。
【００２０】
そして、上記バネ保持部材１は従来通り、プレス加工で作られたものである。このバネ保持部材１は基部１１と、この基部１１から突出し、上記ハトメ部２２を内部に通すことのできる筒部１２とを有している。基部１１は、雄ホックＡの一部に係合する線状のバネ１３を収納した部分である。このバネ１３の一部は筒部１２の内部に露出しており、このバネ１３が雄ホックＡに対して引っ掛かる。また、筒部１２の端部には、ハトメ部２２を通すための貫通穴１４が設けられている。
【００２１】
上記ハトメ部２２を上記貫通穴１４に通し、ハンドプレスなどを用いて上記ハトメ部２２が筒部１２に対してかしめられたことによって、上記バネ保持部材１とホック頭２とが上記生地Ｃを挟んで締結される。
【００２２】
ここで本願考案においては、上記のホック頭２につき、金属材料からなる線材を圧造した鋲頭（ヘッダー製品と一般的に呼称するが、以下においては鋲頭と表する）を使用している。これにより、従来のプレス製品であったホック頭に比べ、形状の自由度が高く、多彩でボリューム感のあるホック頭が造形できる。本例のホック頭２には、アルミニウム合金が用いられているが、これに限らず、銅、鉄などの種々の金属材料が使用可能である。
【００２３】
次に、本願考案の概略を理解しやすくするため、先ずは従来から存在していたプレス製品のホック頭３とバネ保持部材１の締結について述べてみる。以下においてホック頭３以外は本願考案と共通するため、名称及び記号は本願考案に係るものをそのまま用いている。
【００２４】
プレス製品のホック頭３は特許文献１に記載されたようなもので、図５に示すように、湾曲して形成された頭部３１と筒状のハトメ部３２とからなっている。ハトメ部３２における基部３２ａは拡大された板状であり、この基部３２ａと頭部３１とがかしめられて一体となっている。頭部３１の中央部と基部３２ａの中央部とは密着しておらず、間隔Ｘを有している。この間隔Ｘはホック頭３とバネ保持部材１とを締結する際に必要である。このハトメ部３２の、頭部３１における底端部３１ａの位置からハトメ部３２の先端までの突出寸法ｈ３２は約３mmである。
【００２５】
この締結の際には、例えば、かしめ作業に用いる工具であるハンドプレスを使用する（図２及び図３参照）。このハンドプレスは、固定された下駒Ｐ２に対して可動の上駒Ｐ１をテコなどにより降下させ、下駒Ｐ２と上駒Ｐ１との間に挟んだ物体を圧縮させることのできるものである。本例に用いる上駒Ｐ１には、バネ保持部材１の筒部１２をはめ込むことのできる中央突起Ｐ１ａが設けられており、この中央突起Ｐ１ａをバネ保持部材１のバネ１３が挟むことにより、上駒Ｐ１にバネ保持部材１が一時的に保持される。また、下駒Ｐ２にはホック頭３の頭部の形状に合わせた凹部Ｐ２ａが形成されており、ホック頭３を、頭部が下方になるようにして凹部Ｐ２ａに置くだけで、下駒Ｐ２にホック頭３が一時的に保持される。
【００２６】
まず、ハンドプレスの上駒Ｐ１にバネ保持部材１を挿入して仮止めする。そしてハンドプレスの下駒Ｐ２にプレス製品のホック頭３を乗せて、このホック頭３の上に生地Ｃを重ね、この生地Ｃにあらかじめ開けておいた穴Ｃ１にホック頭３のハトメ部３２を挿入するようにする。これにより、ハトメ部３２が生地Ｃの上方に飛び出た状態となり、上記のように上駒Ｐ１に取り付けられたバネ保持部材１の筒部１２にホック頭３のハトメ部３２が入るべく下で待機している状態になる。なお、ハトメ部３２の生地Ｃからの上方への飛び出しは１〜２mmである。
【００２７】
次に、ハンドプレスを操作して上駒Ｐ１を降下させて下駒Ｐ２に接近させていくと、バネ保持部材１の筒部１２にホック頭３のハトメ部３２の一部が入る。上駒Ｐ１は生地Ｃの上からホック頭３の基部３２ａを押し下げる。そしてこの上駒Ｐ１の降下に伴い、基部３２ａが上記の空間Ｘを押しつぶして頭部３１に当たるまで（下止点に到達するまで）下がる。これと同時に、上駒Ｐ１の中央突起Ｐ１ａはハトメ部３２の先端を外側にカールするように変形させて締結完了する。これによってハトメ部３２が筒部１２に対してかしめられる。上記のようにハトメ部３２の突出寸法ｈ３２が約３mmとであるため、かしめ作業が容易にできる。
【００２８】
ここで、もしハトメ部３２における基部３２ａが頭部３１と接していたならば、それに連れてハトメ部３２の先端も下に位置して、ハトメ部３２の上記生地の穴Ｃ１から覗く長さが短くなる。すると、穴開けした生地Ｃを、下駒Ｐ２に乗せられて待機しているホック頭３のハトメ部３２に挿入しずらく位置が安定しないため締結作業の効率が悪くなる。そのため、通常市販されているプレス製品のホック頭３の基部３２ａは作業性の良いように、基部３２ａと頭部３１とが離され、間隔Ｘを有している。
【００２９】
次に、上記従来のプレス製品であるホック頭３の構造を踏まえた上で、本願考案の鋲頭を使用したホック頭２に話を戻す。上記のように、鋲頭を使用することでプレス製品とは違った、多彩でボリューム感のあるホック頭の造形が出来たとしても、プレス製品のように効率よく締結作業が出来るようにしなければならない。
【００３０】
先ず頭部２１に対して色々の造形を完成した後において、ハトメ部２２の構造を考察してみる。ハトメ部２２の先端の、頭部２１の頭裏面２１１からの突出寸法ｈ２２ａ（図１参照）を、上記ホック頭３のように約３mmとすることは可能である。しかしながら、頭部２１を上記プレス製品の基部３２ａのように頭部３１と離して間隔Ｘを有する状態としておき、ハンドプレスの上駒Ｐ１によって基部３２ａが押し下げられるような構造とすることは、金属材料の圧造によっては製作不可能である。
【００３１】
そこで、プレス製品のホック頭３における、ハンドプレスの上駒Ｐ１に押されたことによる基部３２ａの下がり代（間隔Ｘ）に相当するものとして、予め、バネ保持部材１の筒部１２の一部が頭部２１の裏側に収まるのに必要な容積を頭部２１の裏側における面から掘り下げて、肉盗み部２１２を設ける。つまり、頭部２１における生地Ｃに対向する側である頭裏面２１１に、表面側へと掘り下げられた凹部である肉盗み部２１２が設けられたものとする。本例では、この肉盗み部２１２は、頭部２１の頭裏面２１１の中心に設けられた、平面視で円形の凹部である。肉盗み部２１２の側面は本例では斜面である。肉盗み部２１２の底面２１２ａは平面となっている。本例では、この肉盗み部２１２の直径が、頭裏面２１１の側で９mm、底面２１２ａの側で８mmである。深さ（頭裏面２１１から底面２１２ａまでの距離）に関しては、図３に示すように、バネ保持部材１とホック頭２とが生地Ｃを挟んで締結された状態において、バネ保持部材１の筒部１２の一部を収めることのできる寸法とすれば良い。つまり、肉盗み部２１２の深さｈ２１２と、バネ保持部材１の基部１１の生地当接面１１ｂの位置からの筒部１２の突出寸法ｈ１２、生地の厚みｈＣとが下記の関係にあるものとする（図１参照）。
ｈ２１２＞ｈ１２−ｈＣ
本例では、肉盗み部２１２の深さｈ２１２が２．５mmであるが、これに限らず、種々の寸法で実施可能である。
【００３２】
そして、頭部２１における裏側の中心部から従来のプレス製品と同じ太さのハトメ部２２を設ける。より具体的にこのハトメ部２２は、肉盗み部２１２の底面２１２ａから伸び、頭部２１の頭裏面２１１に対して直交するように突出して形成されたものであり、横断面において円柱状のものである。本例では肉盗み部２１２の底面２１２ａからハトメ部２２の先端までの高さ寸法ｈ２２が４．５〜５mmであるが、これに限らず、種々の寸法で実施可能である。
【００３３】
このハトメ部２２には、図１における上側の端面２２ａから掘り込まれたようにして有底穴における空間である中空部２３が形成されている。この中空部２３もまた、横断面において円形の空間である。本例では、この中空部の直径が２．８mmであるが、これに限らず、種々の寸法で実施可能である。
【００３４】
ここで、試作としてこのハトメ部２２の高さを、頭裏面２１１のラインからさらに締結代約３mmを上方に取るように設定してみた。中空部２３の深さもほぼ従来のプレス製品と同じようにハトメ部２２の端面２２ａから約３mmの深さに仕上げた。そして、このように試作したホック頭２を生地Ｃに締結する事を試みた。上記のようにハンドプレスの上駒Ｐ１にバネ保持部材１を挿入して仮止めし、下駒Ｐ２に当該ホック頭２を置く。そしてハンドプレスを降下させてバネ保持部材１と締結させる。
【００３５】
ところが、上記試作形状のホック頭２では、ハトメ部２２の先端はカールするが生地Ｃとの間に隙間が出来てしまい、プレス製品のホック頭３のようにバネ保持部材１と生地Ｃが密着しない結果となった。つまり、ホック頭２の頭裏面２１１に肉盗み部２１２が設けられたものとしてもバネ保持部材１は生地Ｃと接することなく隙間が出来てしまった。この結果は、プレス製品のホック頭３における、ハンドプレスの上駒Ｐ１に押されたことによる基部３２ａの下がり代（間隔Ｘ）の分だけ中空部２３が不足し、ハトメ部２２が充分にカールできないために起こったと考えられる。
【００３６】
そこで本願考案においては、ハトメ部２２における中空部２３の深さを端面２２ａから約３mmの締結代に更にプラスした深さとした。即ち、ハトメ部２２のほぼ全長分まで穴を開けた。この中空部２３の深さ（端面２２ａから底部２３ａまでの寸法）ｈ２３ａは４mm以上であることが望ましい。本例では４．５mmである。
【００３７】
つまり、この中空部２３の底部２３ａは、ホック頭２の頭裏面２１１から底部２３ａまでの中空部２３の下部深さｈ２３と、バネ保持部材１の基部１１の生地当接面１１ｂの位置からの筒部１２の突出寸法ｈ１２、生地の厚みｈＣとが下記の関係にあるものとする（図１参照）。
ｈ２３＞ｈ１２−ｈＣ
この関係により、締結時において筒部１２よりも上方には必ず中空部２３が存在することになるため、ハトメ部２２が充分にカールし、隙間の無い締結が可能となる。
【００３８】
上記試作に係るホック頭２のように、中空部２３の深さが約３mmなら、肉盗み部２１２がバネ保持部材１の筒部１２が納まるように設けられていても、ハンドプレスの降下に伴い、バネ保持部材１がホック頭２の肉盗み部２１２の底面２１２ａまで行き着くことがないまま、ハトメ部２２がカールして締結作業が終わってしまうのである。
【００３９】
これに対し、本願考案では中空部２３の深さを締結代約３mmに更にプラスした深さにしている。図２に示すように、ハンドプレスの上駒Ｐ１に仮止めされたバネ保持部材１は、ハンドプレスの降下に伴い、ハトメ部２２の端面２２ａと生地の穴Ｃ１とを通過して肉盗み部２１２に入り、下止点に達する。この際、ハンドプレスの上駒Ｐ１における中央突起Ｐ１ａがハトメ部２２を座屈させて、図３に示すようにカールさせる。このハトメ部２２の座屈は本例では中空部２３の底部２３ａに至るまでなされる。これにより、バネ保持部材１及びホック頭２と生地Ｃとが密着して隙間ができないようにできる。
【００４０】
このようにして、本願考案に係る雌ホックＢは、ハトメ部２２が筒部１２に対してかしめられた後において、図４に示すように、肉盗み部２１２に上記筒部１２の端部側の少なくとも一部が配位され、筒部１２の端部における内側は、ハトメ部２２がつぶされた状態（カールした状態）で当接しており、筒部１２が上記生地Ｃを貫通し、バネ保持部材１の基部１１とホック頭２の頭部２１との間に生地Ｃが挟み込まれる。そして、バネ保持部材１、ホック頭２、生地Ｃを隙間無く締結できる。
【００４１】
なお、本例では、締結代を約３mmとしたが、本願考案のホック頭２はこれに限定されず、バネ保持部材１との関係や、生地Ｃの厚さに応じ、種々の寸法に変更して実施することができる。また、本例では中空部２３を有底穴における空間としたが、貫通穴における空間であっても良い。また、本例ではホック頭２の頭部２１を単一の材料からなるものとしたが、頭部２１に別体であるリング状の部材を巻き付けてホック頭２を形成しても良い。
【００４２】
上記のように本願考案は、金属材料を圧造して形成したホック頭２を用いた構造にすることにより、従来よりのバネ保持部材、ダボ部、足部をそのまま使用してプレス製品のホック頭と違った造形を生み出すことができる。また、有史以来２本バネ式のホックを使用している締結作業をする人々にとって作業性が良い。しかも、このホックを取り付けた物品を使用者が使用する際のバネの調子が従来品と変わらないという利便性がある。
【図面の簡単な説明】
【００４３】
【図１】雌ホックのバネ保持部材とホック頭の構造を示す、概略の縦断面図である。
【図２】ハンドプレスにバネ保持部材とホック頭とを取り付けた状態を示す、概略の縦断面図である。
【図３】バネ保持部材とホック頭とが締結された状態を示す、概略の縦断面図である。
【図４】雄ホックと雌ホックとの関係を示す、概略の縦断面図である。
【図５】従来のホック頭の構造を示す、概略の縦断面図である。
【符号の説明】
【００４４】
Ａ        雄ホック
Ｂ        雌ホック
Ｃ        生地
１        バネ保持部材
１１      基部
１１ｂ    生地当接面
１２      筒部
１３      バネ
１４      貫通穴
２        ホック頭
２１      頭部
２１１    頭裏面
２１２    肉盗み部
２２      ハトメ部
２２ａ    ハトメ部の端面
２３      中空部
２３ａ    中空部の底部
【図１】
0003148989.tif 000003
【図２】
0003148989.tif 000004
【図３】
0003148989.tif 000005
【図４】
0003148989.tif 000006
【図５】
0003148989.tif 000007